(57)【特許請求の範囲】
【請求項１】
隣接する傾斜した屋根（１１）の下端間に樋（１）を設け、該樋（１）に囲まれた空間部に第一の温湯管（１４）を配置し、樋（１）の左右両端部の裏面に接触する第二の温湯管（１５）を設け、前記第一の温湯管（１４）の上方には上面に水を噴出させるための孔（１２）を備える融雪管（１３）を設け、前記第一及び第二の温湯管（１４，１５）を通過した温水と樋（１）に収容された水とをタンク（２３）に回収し、該タンク（２３）内の水を第一及び第二の温湯管（１４，１５）と融雪管（１３）とへ供給する構成としたハウスにおける除雪装置。
【発明の詳細な説明】
【０００１】
【発明の属する技術分野】
この発明は、家屋や温室等のハウスの屋根の積雪を除去する除雪装置に関する。
【０００２】
【従来の技術】
屋根の積雪を除去する手段として、作業者が屋根に上って人力により積雪を落下させたり、モ−タ等を駆動源とする除雪具を移動させて積雪を掃き落したり、散水して積雪を滑り落す等の手段が行われている。
【０００３】
【発明が解決しようとする課題】
しかしながら、作業者が屋根に上って作業をする場合には滑って落下する危険を伴うことがあり、また、除雪具や散水を利用して積雪を除去する手段では、落下する雪が樋に堆積して樋を変形し、破損を生じさせることがある。
【０００４】
【課題を解決するための手段】
この発明は、屋根の積雪の除去を円滑に行い得るハウスにおける除雪装置を提供するものであって、次の技術的手段を講じた。
すなわち、隣接する傾斜した屋根１１の下端間に樋１を設け、該樋１に囲まれた空間部に第一の温湯管１４を配置し、樋１の左右両端部の裏面に接触する第二の温湯管１５を設け、前記第一の温湯管１４の上方には上面に水を噴出させるための孔１２を備える融雪管１３を設け、前記第一及び第二の温湯管１４，１５を通過した温水と樋１に収容された水とをタンク２３に回収し、該タンク２３内の水を第一及び第二の温湯管１４，１５と融雪管１３とへ供給する構成としたハウスにおける除雪装置とする。
【０００５】
【作用】
請求項１に係る発明によると、隣接する屋根１１上の雪は、滑落作用を受けると、この隣接する屋根１１の下端間に設けた樋１に向けて滑落する。そして、樋１の近くに到達した雪は、樋１上で隣接する屋根１１を滑落してきた雪の先端部が接触してブリッジを生じても、融雪管１３の孔１２から上方へ向けて噴出する水を浴びて融け、ブリッジが破壊される。樋１に貯留されている水は第一及び第二の温湯管１４，１５によって加熱されて温水となっているので、前記ブリッジが破壊されて樋１の空間部に落下した雪は、前記温水により融ける。また、前記第一及び第二の温湯管１４，１５を通過した温水と樋１に収容された水とがタンク２３へ回収され、該タンク２３内の水が第一及び第二の温湯管１４，１５と融雪管１３とへ循環して再利用される。
【０００６】
【効果】
請求項１に係る発明によると、隣接する屋根１１上の雪は樋１に向けて滑落するので、作業者が高い屋根に上って除雪作業をする必要がなく安全である。そして、第一の温湯管１４の上方には上面に水を噴出させるための孔１２を備える融雪管１３を設けているので、滑落して隣接する屋根１１間に生じた積雪ブリッジの破壊を良好にし、破壊された雪が樋１に落下し易く、樋１に貯留されている水は第一及び第二の温湯管１４，１５によって加熱されて温水となっているので、前記破壊された雪が樋１に貯留されている融雪水に接触するか又は浸り、樋１内に入ってきた雪の融雪を高めると共に、樋１の変形や破壊防止を図れる。また、第一及び第二の温湯管１４，１５を通過した温水と樋１に収容された水とがタンク２３へ回収され、該タンク２３内の水が第一及び第二の温湯管１４，１５と融雪管１３とへ循環して再利用されるので、エネルギーの省力化を図れる。
【０００７】
【実施例】
以下、この発明の一実施例を図面に基づいて説明する。
まず、その構成について説明すると、ハウス２の本体フレ−ム３はコンクリ−トや鉄筋等で構成した土台に所定間隔置きに縦方向に設けた柱４と前後・左右及び上下に配置した複数の角やＬ状等の鋼材５を枠組みして上部に複数の山形状の屋根フレ−ム６を設ける構成としている。
【０００８】
そして、本体フレ−ム３の前後・左右及び屋根フレ−ム６に一体に取り付けた受け枠７に被覆材（ガラス板や硬質の合成樹脂板等、実施例はガラス板を使用）８を着脱自在に設けて温室９を形成している。また、該温室９の前後及び左右壁には開閉自在の扉（図示せず）を設けて作業者及び機材を運ぶ作業車等が出入り可能に設けている。なお、温室９が広い場合には温室内に仕切壁（図示せず）を設け、仕切壁の開閉により一室又は複数室に変更可能に設けると都合がよい。
【０００９】
隣接する屋根１１の下端間に、中央部を中心に左右両側部を上向きに折り曲げ、さらにその左右両端部を上向きに折り曲げて屋根１１の前後長さと略同じ長さに設けた樋１を配置している。該実施例では折り曲げであるが、底部が下側に位置する円弧形状のものでもよい。そして、該樋１の前後両端部に壁１０設けていると共に該両端部を受け枠７の裏面に接触させて屋根フレ−ム６に着脱自在に設けている。
【００１０】
前記樋１の左右中央部で且つ空間部Ａの近くに、樋１の前後長さと略同じ長さで且つ先端部（温湯の入口とは反対側）を閉塞して前後方向の上面で軸芯方向に所定間隔置きに小さな孔１２を設けた融雪管１３を設けると共に該融雪管１３の下方で樋１の空間部Ａに無孔の温湯管１４を設けている。該孔１２は前後方向に一列に設けてもよく、左右並べて設けてもよく、前後方向に千鳥状に設けてもよい。なお、温湯管１４に小さな孔を設けると、この管内から出た湯が樋１に貯溜した水を加熱することができる。また、別の温湯管１５は樋１の左右両端部の裏面に接触した無孔の管であって、樋１の前後方向の長さと略同じ長さで前後方向に設けている。
【００１１】
前記温湯管１４は全体又は一部が空間部Ａ内に位置し樋１に貯留された水に接触する構成でよいが、全体が水中に位置する場所に設けていると水への加熱効果が高まる。また、前記融雪管１３は空間部Ａ内に位置してもよいがこの実施例のように上方に位置してもよい。
【００１２】
ハウス２の正面視において、左右両端の屋根１１の下端部にそれぞれ前記樋１と同形状の樋１６を屋根フレ−ム６に着脱自在に取り付けており、該樋１６の空間部に上面に小さな孔（前後方向に一列に設けてもよく、左右並べて設けてもよく、前後方向に千鳥状に設けてもよい）１９を設けた融雪管１７と無孔の温湯管１８を上下に配置している。なお、該温湯管１８は前記温湯管１４と同様に小さな孔を設けると、この管内から出た湯が樋１に貯溜した水を加熱することができる。また、温湯管１８は全体又は一部が空間部Ａに位置し樋１に貯留された水に接触する構成でよいが、全体が水中に位置する場所に設けていると水の加熱効果が高まる。そして、融雪管１７は空間部Ａ内に位置してもよいが実施例のように上方に位置してもよい。
【００１３】
２０はハウス２の左右両壁に近い外方で上下方向の中間部に位置すると共に該各壁の前後方向の長さと略同じ長さに設け、各壁に沿って前後方向に設けている側壁散水管である。該各側壁管２０の上面において、軸心の真上からハウス２の左壁又は右壁からやや遠くなるように変位（図示ｈ）したところで軸芯方向に所定間隔置きに小さな孔２１を設けている。該孔２１は軸芯方向に一列に設けてもよく、左右並べてもよく、千鳥状に設けてもよい。
【００１４】
給水管２２はタンク２３と前記各温湯パイプ１４，１５の入口部とを連通しており、タンク側よりフィルタ−２４、温水器（実施例ではボイラ−を使用）２５、３方向電磁弁２６、給水ポンプ２７を設け、給水ポンプ２７がフィルタ−２４を通して温水器２５により加熱した温水を３方向電磁弁２６を介して各温湯パイプ１４，１５に供給する構成である。２８は給水ポンプ２７から温湯管に向けて供給される温水の温度を検出する水温センサである。なお、温湯管内に送り込まれる温水の水温は９０℃前後（実施例では９０℃）に設けている。給水管２９は前記タンク２３と３方向電磁弁２６とを連通し、途中部にフィルタ−３０を設けている。前記温湯管１４，１５，１８の出口部はタンク２３にのぞむ排水管２２ａに接続し連通している。
【００１５】
なお、温湯管１４，１５，１８に送りこむ温水に代えてスチ−ムを利用すると、タンク２３に回収されたときにタンク内の水を暖めることができ排熱の有効利用を図れる。
【００１６】
第２給水管３１は前記タンク２３と融雪管１３，１７の入口部とを連通しており、タンク側よりフィルタ−３２、温水器３３、３方向電磁弁３４、給水ポンプ３５を設け、給水ポンプ３５がフィルタ−３２を通して温水器３３により加熱した温水を３方向電磁弁３４を介して各融雪管１３，１７に供給する構成である。該給水ポンプ３５の給水圧は融雪管１３，１７から噴出する屋根１１の上部に届く圧力に設けている。
【００１７】
３６は給水ポンプ３５から融雪管に向けて供給される温水の温度を検出する水温センサである。なお、融雪管１３，１７に送り込まれた温水の水温は３５〜４５℃（実施例では約４０℃）に設けている。第２給水管３１ａは前記タンク２３と３方向電磁弁３４とを連通し、途中部にフィルタ−３７を設けている。
【００１８】
第３給水管５２は前記タンクと側壁管２０の入口部とを連通しており、途中部に設けた給水ポンプ３８によりタンク内の水を各側壁管２０に供給する構成としている。
【００１９】
各樋１の排水側端部は下端部を横排水管４０に接続した縦排水管３９の上端部に接続しており、該横排水管４０を前記タンク２３にのぞむ樋水案内管４１に接続し、樋１により案内された水を縦排水管３９、横排水管４０および樋水案内管４１を通ってタンク２３に案内する構成である。
【００２０】
４２と４３はタンクの上部に設けた上下水位センサ、４１は送水管４１の途中部に設けた電磁弁であり、下水位センサ４３が検出すると電磁弁４４を開き、上センサ４２が検出すると電磁弁４４を閉じる構成である。
【００２１】
ハウス２の温室９には室内の温度を検出する室温センサ４５を設けると共に空調装置４６を設けている。該空調装置４６は、実施例ではスチ−ムを供給して温度を調節する構成であるが、ヒ−トポンプ、エアコン等でもよく、また冷暖房可能に設けているとハウス２の利用範囲が拡大し便利である。
【００２２】
つぎに、図７のブロック回路について説明すると、４７は必要なデ−タや制御プログラム等を内蔵したメモリ（ＲＯＭ、ＲＡＭＵ）４８を備えたマイクロコンピュ−タの演算制御部（以下、ＣＰＵと呼ぶ）であって、算術・論理及び比較演算等の作業を行う。該ＣＰＵ４７に入力インタフェ−ス４９を介して入力される情報として、制御パネル５０に設けたメインスイッチの入・切情報や温湯管１４，１５，１８に送りこむ温水の水温調節スイッチからの設定水温情報や給水ポンプ２７，３５，３８の駆動・停止する給水ポンプスイッチからの入・切情報、水温センサ２８，３６からの水温情報、上下センサ４２，４３からの水位情報、室温センサ４５からの温室内の温度情報等がある。
【００２３】
また、ＣＰＵ４７から出力インタフェ−ス５１を介して出力する指令信号として、温水器２５，３３への加熱量調節信号、給水ポンプ２７，３５，３８への駆動・停止信号、３方向電磁弁２６，３４への切り替え信号、電磁弁４４への開閉信号、空調装置４６への温度調節信号、表示具５３への表示信号等がある。
【００２４】
つぎに、その作用について説明する。
まず、制御パネル５０のメインスイッチを入りにすると、ＣＰＵ４７から出力インタフェ−ス５１を介して電磁弁４４に開信号を出力する。すると、水源から送られた水はタンク２３に供給される。そして、上水位センサ４２が上限水位を検出すると、この信号を入力インタフェ−ス４９を介して入力したＣＰＵ４７は電磁弁閉信号を出力インタフェ−ス５１を介して出力し電磁弁４４を閉じて給水を停止する。
【００２５】
そして、制御パネル５０の水温調節スイッチ操作して温湯管１４，１５，１８に送りこむ温水の水温を９０℃を設定し、融雪管１３，１７に送りこむ温水の水温を２０℃を設定すると、ＣＰＵ４７は出力インタフェ−ス５１を介して温水器２５，３３に作動指令信号を出力し、水温センサ２８，３６がその温度を検出すると前記作動指令信号の出力を停止する。なお、水温センサ２８，３６が設定温度よりも低いと検出すると、ＣＰＵ４７は再び温水器２５，３３に作動指令信号を出力する。
【００２６】
つぎに、給水ポンプスイッチを入りにすると、ＣＰＵ４７は出力インタフェ−ス５１を介して給水ポンプ２７を駆動するので、タンク２３の水は給水管２２、フィルタ−２４、温水器２５、３方向電磁弁２６を通って各温湯管１４，１５，１８に入り、その後出口を通って排水管２２ａに案内されタンク２３に排出される。また、ＣＰＵ４７からの信号により駆動した給水ポンプ３５によって第２給水管３１、フィルタ−３２、温水器３３、３方向電磁弁３４を通って各融雪管１３，１７に送り込まれたタンク２３の水は孔１２，１９から上方及び斜め上方に向けて噴出し屋根１１の上部に落下する。そして、樋１に落下した水は出口側に案内され、縦排水管３９、横排水管４０を通って樋水案内管４１によりタンク２３に排出される。また、ＣＰＵ４７からの信号により駆動した給水ポンプ３８によって第３給水管５２から各側壁管２０に送り込まれた水は孔２１から斜め上方に向けて噴出する。
【００２７】
室温センサ４５を操作して２０℃を設定すると、ＣＰＵ４７は出力インタフェ−ス５１を介して空調装置４６に作動指令信号を出力し温室内を暖める。そして、室温センサ４５が２０℃を検出すると空調装置４６による暖房を停止し、室温センサ４５が２０℃以下を検出すると再び空調装置４６を作動する。
【００２８】
温室９の室内が暖房されると、屋根１１が暖まって屋根１１に積雪し被覆材８接触している雪を融かすので、積雪はこの被覆材上を徐々に滑落し樋側に向かう。そして、樋上では隣接する屋根１１を滑落してきた積雪の先端部が接触してブリッジを生じても融雪管１３の各孔１２から上方に向けて噴出する約２０℃の水がその積雪に浴びせて雪を融かしブリッジを破壊する。被覆材上を流下する水や破壊されて樋１の空間部Ａに入った雪は樋１で一時貯留される。そして、樋１に貯留されている水は約９０℃の温水が流れる温湯管１４によって加熱され温水となる。従って、続いて落下した雪は温水により融ける。
【００２９】
以上により、このハウスにおける除雪装置は、傾斜した屋根上の雪を樋１に向けて滑落させる滑落手段と、樋１の近くには水を上向きに散水する散水手段と加熱手段とを上下に設けている。また、前記加熱手段が樋１に囲まれた空間部Ａに位置している。従って、屋根上の雪は滑落手段により滑落作用を受けると、該雪は樋１に向けて滑落する。そして、樋１の近くに到達した雪は散水手段により融かされ樋１に落下し、温水によって加熱された温湯管１４が樋１に貯留された融水を加熱する。樋１に落下した雪は樋１の温水より融ける。
【００３０】
よって、屋根の雪は滑落手段により滑落されるので、作業者が高い屋根に上って除雪作業をする必要がなく安全である。そして、散水手段と加熱手段を上下に配置しているので、滑落して隣接する屋根間に生じた積雪ブリッジへの散水による破壊を良好にし、破壊された積雪が樋１に落下し易く樋１の変形や破壊防止を図れる。また、温水を案内する温湯管１４が樋１で貯留している融雪水を加熱するので、樋内に入ってきた雪の融雪処理を高めうる。
【００３１】
また、屋根１１の左右両端部においても、融雪管１７の各孔１９から上方に向けて噴出する約２０℃の水が滑落した積雪の先端部に浴びせて融かす。そして、融雪水は約９０℃の温水が流れる温湯管１８と樋１の裏面に設けた両温湯管１５の加熱作用により温められる。
【００３２】
融雪管１３と温湯管１４を上下に配置しているので、屋根６の被服材８の下端から樋１の空間部Ａへの雪の落下速度を広く形成できて雪が落下し易く融雪処理を高めることが出来、屋根１１に雪が堆積しないので屋根１１の変形や破損を防止できる。そして、温湯管１４，１５，１８を通過した温水や樋１に収容された水をタンク２３に回収し循環して再利用できるのでエネルギ−の省力化を図れる。また、温湯管１４，１８が樋１の水に接触あるいは下部が浸ると樋内の水の水温を高めるので、前記エネルギ−の省力効果が一層向上する。その上、側壁管２０から噴出する融雪水はタンク２３に回収した温水を再利用することができる。
【００３３】
そして、制御パネル５０の給水ポンプ３５の駆動スイッチを入りにすると、水は各融雪管１３，１７の各孔１２，１９から上方及び斜め上方に噴出して屋根上に落下した後流下して樋１に収容され所定場所に案内されるので、融雪作業以外においても屋根上６の被覆材８を洗浄することができる。
【００３４】
なお、温湯管１４，１５，１８、融雪管１３，１７に供給する水の水温がタンク２３に回収した水の水温でよい場合は、ＣＰＵ４７は各３方向電磁弁２６，３４に切り替え作動信号を出力して切り替える。この場合、温水器２５，３３を運転する必要がないので省エネを図ることができる。
【図面の簡単な説明】
【図１】一部破断したハウスの正面図
【図２】拡大した屋根の平面図
【図３】拡大した屋根の正面図
【図４】一部切除した融雪管の平面図
【図５】一部切除した側壁管の平面図
【図６】一部切除した融雪管の平面図
【図７】配管図
【図８】ブロック回路
【符号の説明】
１…樋、２…ハウス、１１…屋根、１２…孔、１３…融雪管、１４…温湯管、１５…温湯管、２３…タンク
【図１】
0003694938.tif 000002
【図２】
0003694938.tif 000003
【図３】
0003694938.tif 000004
【図４】
0003694938.tif 000005
【図５】
0003694938.tif 000006
【図６】
0003694938.tif 000007
【図７】
0003694938.tif 000008
【図８】
0003694938.tif 000009